(57)【要約】【課題】  贈答品等をリボンが十文字状に取り囲んでこれを結わえるリボン製装飾品及びその形成方法を提供すること。【解決手段】  リボン製の装飾品（１０）は、第１のリボン（１２）と、該第１のリボンに交差し、折り返された第２のリボン（１４）とから成る。前記装飾品は、第１のリボンの一端部（１２ａ）と第２のリボンの一端部（１４ａ）との間に第１のリボンの他端部（１２ｂ）を置きかつ該他端部が通過する結び目（３４）を形成するように、第１のリボンの一端部と第２のリボンの一端部とを結ぶことにより形成した第１のリボンによるループ（３６）を有する。第２のリボンの他端部（１４ｂ）は第１のリボンの他端部と交差し、折り返されて前記ループに通されている。【選択図】図６
2011189645.tif 000002
【特許請求の範囲】
【請求項１】
第１のリボン（１２）と、該第１のリボンに交差し、折り返された第２のリボン（１４）とから成り、
第１のリボンの一端部（１２ａ）と第２のリボンの一端部（１４ａ）との間に第１のリボンの他端部（１２ｂ）を置きかつ該他端部が通過する結び目（３４）を形成するように第１のリボンの一端部と第２のリボンの一端部とを結ぶことにより形成した第１のリボンによるループ（３６）を有し、
第２のリボンの他端部（１４ｂ）は第１のリボンの他端部と交差し、折り返されて前記ループに通されており、第１及び第２のリボンの他端部が伸びる方向と前記ループが広がる方向とは縦横の関係にあり、第１のリボンの他端部を引くとき前記ループは小さくなる、リボン製の装飾品。
【請求項２】
第１のリボンの他端部（１２ｂ）は、使用時に第２のリボンの他端部（１４ｂ）と結ばれる、請求項１に記載のリボン製の装飾品。
【請求項３】
第１及び第２のリボンの少なくとも一方の他端部（１２ｂ、１４ｂ）には、両面テープ（４２）の片面が貼り付けられている、請求項１に記載のリボン製の装飾品。
【請求項４】
第１及び第２のリボンの他端部（１２ｂ、１４ｂ）は、使用時に留め具（４４）で留められる、請求項１に記載のリボン製の装飾品。
【請求項５】
第１のリボン（１２）と第２のリボン（１４）とからリボン製の装飾品（１０）を形成する方法であって、
第１のリボンの一端部（１２ａ）から右斜め下方に伸びる第１のリボンの他端部（１２ｂ）を第１の折り返し部位（１６）で左方へ折り返し、第１のリボンの一端部と交差して交差部（２０）が生じるように第２の折り返し部位（１８）で右斜め上方へ折り返すこと、
第２のリボンの一端部（１４ａ）を第１の折り返し部位と第２の折り返し部位との間の第１のリボン部分（１２ｃ）の上側に配置すること、
第２のリボンの他端部（１４ｂ）を前記交差部と第１の折り返し部位との間の第２のリボン部分（１２ｄ）の下側で第２のリボン部分と交差し、前記交差部と第１のリボンの他端部との間の第３のリボン部分（１２ｅ）の下側で第３のリボン部分と交差するように第２のリボンの一端部から上方へ伸ばすこと、
第２のリボンの他端部を前記交差部と第１のリボンの一端部との間の第４のリボン部分（１２ｆ）の上側で第４のリボン部分と交差するように第３の折り返し部位（２２）で右斜め下方へ折り返すこと、
第４のリボン部分を第１のリボンの一端部と折り重なるように第１のリボンの一端部と前記交差部との間の折り曲げ部位（２４）で折り曲げること、
第２のリボンの一端部を前記交差部と前記折り曲げ部位との間の第５のリボン部分（１２ｇ）の上側で第５のリボン部分と交差し、第１のリボンの一端部と前記折り曲げ部位との間の第６のリボン部分（１２ｈ）の上側で第６のリボン部分と交差するように第４の折り返し部位（２６）で上方へ折り返すこと、
第２のリボンの一端部を第５のリボン部分の下側で第５のリボン部分と交差し、第６のリボン部分の下側で第６のリボン部分と交差するように第５の折り返し部位（２８）で下方へ折り返すこと、
第２のリボンの一端部を第４の折り返し部位と第５の折り返し部位との間の第７のリボン部分（１４ｆ）の上側で第７のリボン部分と交差させること、
第２のリボンの一端部を第７のリボン部分の下側で第７のリボン部分と交差し、
第５のリボン部分の上側で第５のリボン部分と交差するように第６の折り返し部位（３０）で右方へ折り返すこと、
第２のリボンの一端部を第５のリボン部分の上側で第５のリボン部分と交差し、第７のリボン部分の下側で第７のリボン部分と交差するように第７の折り返し部位（３２）で左方へ折り返すこと、
第２のリボンの他端部を引くことにより、第１のリボンの他端部が通過する結び目（３４）を形成し、該結び目を形成することにより第１のリボンによるループ（３６）を形成すること、
第２のリボンの他端部を第１のリボンの他端部と前記結び目との間の第８のリボン部分（１２ｉ）の下側で第８のリボン部分と交差させること、
第２のリボンの他端部を第８のリボン部分の上側で第８のリボン部分と交差するように第８の折り返し部位（３８）で折り返し、前記ループに通すことを含む、リボン製の装飾品を形成する方法。
【発明の詳細な説明】
【技術分野】
【０００１】
本発明は、贈答品や該贈答品が詰められた包装袋、包装箱などの包装物に用いられるリボン製の装飾品及びその形成方法に関する。
【背景技術】
【０００２】
従来、贈答品やその包装物（以下「贈答品等」という。）を飾りかつ結わえるために、送り主や販売員が贈答品等にリボンを横一文字状、縦横十文字状又は斜めに掛けて結ぶことが行われている。
【０００３】
しかし、贈物の送り主や贈物商品の販売員にとって、贈答品等にリボンを掛けて結ぶことは手間のかかる面倒な作業である。不慣れな者にとっては、時間がかかるばかりでなく、見映えの良いリボン掛けを行うことは容易でない。このため、贈答品等に容易にリボン掛けをすることができるリボン製品が開発され、今日、贈答品等に広く用いられるようになった。そのリボン製品の一つは、１本のリボンにより形成された蝶結びと、該蝶結びの結び目に他の１本のリボンを通して形成したループとからなる（特許文献１参照）。
【先行技術文献】
【特許文献】
【０００４】
【特許文献１】実用新案登録第３１４１９６７号
【０００５】
前記装飾品は、図１１に示すように、ボウａとループｂとを備える。ボウａは、１本のリボンＲ１を蝶結びに結んで成る。ループｂは、他の１本のリボンＲ２を前記蝶結びの結び目ｃを通して形成されている。リボンＲ２の一端部ｄはその他端部ｅの側の部分と前記結び目内で重ねられている。一端部ｄの端面は、図上、右方に向けられ、他端部ｅの端面は反対方向すなわち図上左方向へ向けられている。使用者は、結び目ｃを通して、リボンＲ２の一端部ｄを右方へ引くことができ、該リボンの他端部ｅは左方へ引くことができる。リボンＲ２の一端部を右方向に叉は他端部を左方向に引くとルールｂはその径を減じて小さくなり、それぞれを逆方向に引くとループｂはその径を拡大して大きくなる。
【０００６】
前記装飾品の贈答品等への取り付けに際しては、ループｂの径を贈答品等の大きさに対応した大きさとした後、該ループに贈答品等を受け入れて該ループを贈答品等の周りに掛け、該ループの一端部ｄを右方に引っ張るだけで、該ループを小さくし、リボンＲ２を贈答品等の周りに密着させることができる。これにより、贈答品等は、リボンＲ１から成るボウａが取り付けられると共に、リボンＲ２により結わえられることになる。
【０００７】
ところで、前記装飾品は、贈答品等に取り付けられたとき、リボンＲ２は贈答品等の左右方向にすなわち横一文字状にのみ伸びる。前記装飾品をより安定的に贈答品等に取り付け、かつ贈答品等をより強固に結わえるためには、縦方向に伸びるリボンを付加し、該リボンを全体に十文字状に掛けることが望まれる。そのような場合、例えば、上記装飾品を用い、リボンＲ２を横一文字状に贈答品等に掛けた後、第３のリボン（図示せず）を縦方向に掛けて結ぶことにより、全体に十文字状にリボンが掛かった装飾品とすることができる。しかし、そのような装飾品は、手間や見映えの点に問題があり、贈答品には向かない。このため、使用者である贈答品等の贈り主や販売員は、見映えを損なうことなしに、贈答品等に容易、迅速かつ確実に取り付けることができ、リボンが贈答品等を十文字状に取り囲んでこれを結わえることができるリボン製装飾品を望んでいる。
【発明の概要】
【発明が解決しようとする課題】
【０００８】
したがって、本発明の目的は、贈答品等をリボンが十文字状に取り囲んでこれを結わえるリボン製装飾品及びその形成方法を提供することにある。
【０００９】
本発明の基本構想は、第３のリボンを用いることなしに、従来と同じ２本のリボンを用いて贈答品等を蝶結びによって飾り、かつ該贈答品等を縦横に囲んで結わえることにある。
【課題を解決するための手段】
【００１０】
本発明に係るリボン製の装飾品は、第１のリボンと、該第１のリボンに交差し、折り返された第２のリボンとから成る。前記装飾品は、第１のリボンの一端部と第２のリボンの一端部との間に第１のリボンの他端部を置きかつ該他端部が通過する結び目を形成するように、第１のリボンの一端部と第２のリボンの一端部とを結ぶことにより形成した第１のリボンによるループを有する。第２のリボンの他端部は第１のリボンの他端部と交差し、折り返されて前記ループに通されている。第１及び第２のリボンの他端部が伸びる方向は、前記ループが広がる方向と縦横の関係にある。第１のリボンの他端部を引くとき、前記ループは小さくなる。
【００１１】
前記装飾品の使用時、贈答品に蝶結びを固定しかつ該贈答品を結わえるために、第１のリボンの他端部と第２のリボンの他端部とが結ばれて相互に固定される。これに代え、第１及び第２のリボンの少なくとも一方の他端部に両面テープの一方の面を貼り付け、他方のリボンの他端部に両面テープの他方の面を貼り付けることにより、第１のリボンの他端部と第２のリボンの他端部とを相互に固定してもよい。さらに、第１のリボンの他端部と第２のリボンの他端部とを留め具によって相互に固定してもよい。
【００１２】
本発明に係るリボン製の装飾品は、第１のリボンと第２のリボンとから、以下の手順で形成される。第１に、第１のリボンの一端部から右斜め下方に伸びる第１のリボンの他端部を第１の折り返し部位で左方へ折り返し、第１のリボンの一端部と交差して交差部が生じるように第２の折り返し部位で右斜め上方へ折り返す。第２に、第２のリボンの一端部を第１の折り返し部位と第２の折り返し部位との間の第１のリボン部分の上側に配置する。第３に、第２のリボンの他端部を前記交差部と第１の折り返し部位との間の第２のリボン部分の下側で第２のリボン部分と交差し、前記交差部と第１のリボンの他端部との間の第３のリボン部分の下側で第３のリボン部分と交差するように第２のリボンの一端部から上方へ伸ばす。第４に、第２のリボンの他端部を前記交差部と第１のリボンの一端部との間の第４のリボン部分の上側で第４のリボン部分と交差するように第３の折り返し部位で右斜め下方へ折り返す。第５に、第４のリボン部分を第１のリボンの一端部と折り重なるように第１のリボンの一端部と前記交差部との間の折り曲げ部位で折り曲げる。第６に、第２のリボンの一端部を前記交差部と前記折り曲げ部位との間の第５のリボン部分の上側で第５のリボン部分と交差し、第１のリボンの一端部と前記折り曲げ部位との間の第６のリボン部分の上側で第６のリボン部分と交差するように第４の折り返し部位で上方へ折り返す。第７に、第２のリボンの一端部を第５のリボン部分の下側で第５のリボン部分と交差し、第６のリボン部分の下側で第６のリボン部分と交差するように第５の折り返し部位で下方へ折り返す。第８に、第２のリボンの一端部を第４の折り返し部位と第５の折り返し部位との間の第７のリボン部分の上側で第７のリボン部分と交差させる。第９に、第２のリボンの一端部を第７のリボン部分の下側で第７のリボン部分と交差し、第５のリボン部分の上側で第５のリボン部分と交差するように第６の折り返し部位で右方へ折り返す。第１０に、第２のリボンの一端部を第５のリボン部分の上側で第５のリボン部分と交差し、第７のリボン部分の下側で第７のリボン部分と交差するように第７の折り返し部位で左方へ折り返す。第１１に、第２のリボンの他端部を引くことにより、第１のリボンの他端部が通過する結び目を形成し、該結び目を形成することにより第１のリボンによるループを形成する。第１２に、第２のリボンの他端部を第１のリボンの他端部と前記結び目との間の第８のリボン部分の下側で第８のリボン部分と交差させる。第１３に、第２のリボンの他端部を第８のリボン部分の上側で第８のリボン部分と交差するように第８の折り返し部位で折り返し、前記ループに通す。
【発明の効果】
【００１３】
本発明に係るリボン製の装飾品の使用時、前記装飾品のループに贈答品等を受け入れることにより贈答品等の周囲に前記ループを掛け、第１のリボンの他端部を引いて前記ループの径を減じて該ループを小さくすることによって、贈答品等の横方向の周囲に前記ループを密着させることができる。また、第１及び第２のリボンの他端部は、前記ループが広がる方向を横方向とするとき、縦方向に伸びていることから、第１及び第２のリボンの他端部を贈答品等の縦方向の周囲に巻き付けて、贈答品等の裏側で第１のリボンの他端部と第２のリボンの他端部とを結ぶことができる。したがって、前記装飾品は、贈答品等を横方向及び縦方向の両方向から取り囲んでこれを結わえることができる。そのため、使用者は前記装飾品を贈答品等に確実に取り付けることができ、また贈答品等をしっかり結わえることができる。
【００１４】
前記装飾品の贈答品等への取り付けは、ループの大きさを贈答品の大きさに合わせること、前記ループに贈答品を受け入れて前記ループを贈答品等の周りにかけること、第１のリボンの他端部を引き、前記ループを贈答品に密着させること及び前記第１のリボンの他端部と第２のリボンの他端部とを贈答品等の縦方向に掛けて結ぶことの順に行う。このため、前記装飾品は、贈答品等にリボンを手で掛ける作業による場合に比較して作業工程が少ないことから贈答品等に容易かつ迅速に取り付けることができる。
【図面の簡単な説明】
【００１５】
【図１】本発明に係るリボン製装飾品の実施例の最初の製造過程を示す斜視図。
【図２】実施例に係るリボン製装飾品の次の製造過程を示す斜視図。
【図３】実施例に係るリボン製装飾品の結び目の部分断面図。
【図４】実施例に係るリボン製装飾品のさらに次の製造過程を示す斜視図。
【図５】実施例に係るリボン製装飾品のその後の製造過程を示す斜視図。
【図６】実施例に係るリボン製装飾品の斜視図。
【図７】実施例に係るリボン製装飾品の使用状態を示す斜視図。
【図８】実施例に係るリボン製装飾品の両他端部を結んで使用する状態を示す裏面斜視図。
【図９】実施例に係るリボン製装飾品の両他端部を両面テープにより結合して使用する状態を示す裏面斜視図。
【図１０】実施例に係るリボン製装飾品の両他端部を留め具で結合して使用する状態を示す裏面斜視図。
【図１１】従来技術に係るリボン製装飾品の斜視図。
【発明を実施するための形態】
【００１６】
図１ないし図６を参照すると、本発明に係るリボン製の装飾品１０及び２本のリボン１２，１４を用いる該装飾品の形成過程が示されている。
【００１７】
装飾品１０の形成に際しては、図１に示すように、第１のリボン１２の一端部１２ａを左上方に置いて、右斜め下方へ伸びる第１のリボン１２の他端部１２ｂを左方へ第１の折り返し部位１６で折り返す。次いで一端部１２ａの上側で一端部１２ａと交差するように他端部１２ｂを第２の折り返し部位１８で右斜め上方へ折り返す。これにより、第１のリボン１２の一端部１２ａと他端部１２ｂとの間に交差部２０が生じる。説明の便宜上、以下において、第１の折り返し部位１６と第２の折り返し部位１８との間をリボン部分１２ｃ、第１の折り返し部位１６と交差部２０との間をリボン部分１２ｄ、交差部２０と他端部１２ｂとの間をリボン部分１２ｅ、交差部２０と一端部１２ａとの間をリボン部分１２ｆとする。
【００１８】
次に、第２のリボン１４の一端部１４ａをリボン部分１２ｃの上側に配置する。第２のリボン１４は第１のリボン１２と交差する位置から上方に伸びている。次いで、第２のリボン１４の他端部１４ｂを第３の折り返し部位２２で左斜め下方へ折り返す。以下において、一端部１４ａと第３の折り返し部位２２との間をリボン部分１４ｃ、第３の折り返し部位２２と他端部１４ｂとの間をリボン部分１４ｄと称する。リボン部分１４ｃは、リボン部分１２ｄ、１２ｅの下側に配置され、リボン部分１４ｄは、リボン部分１２ｆの上側に配置されている。
【００１９】
次に、図２に示すように、リボン部分１２ｆを折り曲げ部位２４で折り曲げる。以下において、折り曲げ部位２４と第１のリボンの交差部２０との間をリボン部分１２ｇ、折り曲げ部位２４と一端部１２ａとの間をリボン部分１２ｈと称する。
【００２０】
次いで、一端部１４ａをリボン部分１４ｄ、リボン部分１２ｇ及びリボン部分１２ｈの上側でそれらと交差するように第４の折り返し部位２６で上方へ折り返す。次いで、一端部１４ａをリボン部分１２ｈの下側でリボン部分１２ｈと交差するように第５の折り返し部位２８で下方へ折り返す。以下において、第４の折り返し部位２６と第５の折り返し部位２８との間をリボン部分１４ｆと称する。
【００２１】
次いで、一端部１４ａをリボン部分１４ｆの上側でリボン部分１４ｆと交差させる。次いで、一端部１４ａをリボン部分１４ｆの下側でリボン部分１４ｆと交差し、リボン部分１２ｇの上側でリボン部分１２ｇと交差するように第６の折り返し部位３０で右方へ折り返す。以下において、第５の折り返し部位２８と第６の折り返し部位３０との間をリボン部分１４ｇと称する。
【００２２】
次いで、一端部１４ａをリボン部分１４ｇの下側でリボン部分１４ｇと交差させる。次いで、一端部１４ａをリボン部分１２ｇの上側でリボン部分１２ｇと交差し、リボン部分１４ｆの下側でリボン部分１４ｆと交差するように第７の折り返し部位３２で左方へ折り返す。次いで、他端部１４ｂを左方に引いて、第２のリボンの各部分の緩みを無くす。これにより、一端部１２ａ及び一端部１４ａが蝶結びに結ばれる。
【００２３】
図３及び図４に示すように、一端部１２ａ及び一端部１４ａは、両一端部間に他端部１２ｂ、１４ｂを置いた状態で結び目３４を形成する。また、一端部１２ａ及び一端部１４ａを結ぶことにより、ループ３６が一端部１２ａと他端部１２ｂとの間に形成される。剛性を有する材料でループを形成したとき、図示のようにループはほぼ円形となる。リボンに柔らかい材料を用いたとき、ループは図示のようなほぼ円形とはならない。いずれも無端である。そこで、それらを総称してループという。
【００２４】
他端部１２ｂは、結び目３４を経て右方へ伸びている。他端部１４ｂは、結び目３２を経て他端部１２ｂと反対方向すなわち左方へ伸びている。使用者は、他端部１２ｂを右方へ引くとループ３６の径を減じて該ループを小さくすることができ、他端部１２ｂを逆方向すなわち左方へ引くと前記ループの径を拡大して該ループを大きくすることができる。
【００２５】
次に、図５及び図６に示すように、他端部１２ｂを上方へ曲げる。以下において、他端部１２ｂと結び目３４との間をリボン部分１２ｉと称する。
【００２６】
次いで、他端部１４ｂをリボン部分１２ｉの下側でリボン部分１２ｉと交差させる。次いで、他端部１４ｂをリボン部分１２ｉの上側でリボン部分１２ｉと交差するように第８の折り返し部位３８で下方へ折り返す。次いで、他端部１４ｂをループ３６に通し、他端部１４ｂを下方に引く。上記の手順により、リボン製の装飾品１０が第１のリボン１２及び第２のリボン１４から形成される。
【００２７】
図７及び図８に示すように、リボン製の装飾品１０は、以下の手順で贈答品等、例えば包装箱４０に取り付けられる。最初に、装飾品１０のループ３６の径を拡大し、該ループの径を包装箱４０の大きさに対応する大きさにする。次いでループ３６に包装箱４０を受け入れ、該包装箱の周囲にループ３６を掛ける。次いで第１のリボンの他端部１２ｂを引き、ループ３６の径を減じて該ループを小さくさせ、第１のリボン１２を包装箱４０の周囲に密着させる。次いで、他端部１２ｂを包装箱４０の表側から該包装箱の側面を経て裏側に巻き付ける。次いで、第２のリボンの他端部１４ｂを包装箱４０の表側から該包装箱の側面を経て裏側に巻き付ける。そして、包装箱４０の裏側で他端部１２ｂ及び他端部１４ｂを結び、相互に固定する。
【００２８】
リボン製の装飾品１０の包装箱４０への取り付けは、第１のリボンの他端部１２ｂ及び第２のリボンの他端部１４ｂを包装箱４０の裏側において結ぶことに代えて、図９に示すように、他端部１２ｂに両面テープ４２の一方の面を貼り付け、該両面テープの他方の面を他端部１４ｂに貼り付けて、他端部１２ｂ及び他端部１４ｂを結合することができる。また、他端部１２ｂを包装箱４０の裏面に第１の両面テープで固定し、他端部１４ｂ及び他端部１２ｂを第２の両面テープで結合することとしてもよい。なお、他端部１２ｂに代えて他端部１４ｂを包装箱４０の裏面に前記第１の両面テープで固定してもよい。
【００２９】
装飾品１０の包装箱４０への取り付けは、第１のリボンの他端部１２ｂ及び第２のリボンの他端部１４ｂを包装箱４０の裏面で結んで相互に固定することに代え、図１０に示すように、他端部１２ｂ及び他端部１４ｂを留め具４４に通し、他端部１２ｂ及び他端部１４ｂを前記留め具で結合することができる。
【符号の説明】
【００３０】
１０        リボン製の装飾品
１２        第１のリボン
１２ａ      第１のリボンの一端部
１２ｂ      第１のリボンの他端部
１４        第２のリボン
１４ａ      第２のリボンの一端部
１４ｂ      第２のリボンの他端部
３４        結び目
３６        ループ
４２        両面テープ
４４        留め具
【図１】
2011189645.tif 000003
【図２】
2011189645.tif 000004
【図３】
2011189645.tif 000005
【図４】
2011189645.tif 000006
【図５】
2011189645.tif 000007
【図６】
2011189645.tif 000008
【図７】
2011189645.tif 000009
【図８】
2011189645.tif 000010
【図９】
2011189645.tif 000011
【図１０】
2011189645.tif 000012
【図１１】
2011189645.tif 000013